(57)【特許請求の範囲】
【請求項１】
建物におけるトイレまたは浴室の少なくとも一方を含む複数のサニタリーゾーンに設置され、前記複数のサニタリーゾーンのうち、前記トイレまたは前記浴室の少なくとも一方と、他の室内との空気を、前記トイレまたは前記浴室の少なくとも一方と前記他の室内とからの総排気風量を一定の風量として同時に一括して排気して、前記サニタリーゾーンの空気を排気する排気装置と、
前記建物の外から吸い込んだ外気と前記建物の内部の室内から吸い込んだ室内空気との間で熱交換を行うとともに該熱交換後の前記外気を前記室内へ送り出す熱交換給気と前記熱交換後の前記室内空気を前記建物の外へ送り出す熱交換排気とを同時に実行する常時換気を継続的に実行可能であり、または前記建物の外から吸い込んだ外気を前記室内へ前記熱交換を行わずに送り出す通常給気を実行可能な熱交換換気装置と、
前記建物のキッチンに設けられて前記キッチンの空気を前記建物の外へ排気するレンジフードファンと、
前記排気装置と前記他の室内との間の排気風路に設けられて、該排気風路を閉鎖して前記排気装置の運転による前記他の室内からの排気を停止させることが可能な風路切り替え装置とを備え、
前記熱交換換気装置が前記常時換気を行っている状態で前記レンジフードファンが運転を開始した場合に、
前記風路切り替え装置は、前記排気風路を閉鎖し、
前記排気装置は、運転を停止している場合は前記トイレまたは浴室の少なくとも一方からの排気を開始し、運転している場合は前記トイレまたは浴室の少なくとも一方からの排気風量を前記レンジフードファンが運転を開始した時点よりも増加して排気を行い、
前記熱交換換気装置は、前記常時換気を停止して前記通常給気を実行し、または前記常時換気における前記熱交換排気の風量を前記レンジフードファンが運転を開始した時点よりも低減すること、
を特徴とする換気システム。
【請求項２】
前記レンジフードファンは、該レンジフードファンが運転を開始した旨を通知するレンジフードファン運転開始信号を前記風路切り替え装置および前記熱交換換気装置に送信し、
前記風路切り替え装置は、前記レンジフードファン運転開始信号を受信した場合に前記排気風路を閉鎖し、
前記熱交換換気装置は、前記レンジフードファン運転開始信号を受信した場合に、前記常時換気を停止して前記通常給気を実行し、または前記常時換気における前記熱交換排気の風量を前記レンジフードファンが運転を開始した時点よりも低減すること、
を特徴とする請求項１に記載の換気システム。
【発明の詳細な説明】
【技術分野】
【０００１】
本発明は、給気と排気の間で熱交換を行いながら給気と排気とを同時に行うことが可能な熱交換換気装置と、レンジフードファンと、サニタリーゾーンの排気を行なう排気装置とを備えた換気システムに関する。
【背景技術】
【０００２】
従来、建物に設置された換気システムを運転した場合に、建物内の負圧が増加して建物全体の換気バランスが崩れるという状況が発生する場合があった。建物内が負圧傾向になるという問題に対処して建物全体の負圧改善を行う換気システムは、例えば特許文献１または特許文献２に開示されているものが知られている。
【０００３】
特許文献１には、建物のキッチンを含むダーティーゾーンに設置され、室内の空気を継続的に排気する常時換気が実行可能な換気装置と、建物の天井裏空間に本体が設置され、室内の空気と外気の間での熱回収機能をもった給気と排気を同時に行なう熱交換換気装置とを備え、熱交換換気装置は、給気側と排気側の送風機駆動用のモータを個別に備え、継続的に常時換気が実行可能である換気システムが開示されている。そして、特許文献１の換気システムは、換気装置を運転する場合には、前記熱交換換気装置の排気送風機のモータを停止させる。特許文献１に開示されている換気システムによれば、建物全体の過度な負圧、すなわち給気不足を抑制することができる。
【０００４】
また、特許文献２には、外気を室内へ給気する給気手段と、浴室内の空気を外へ排気するとともに建物内の空調制御を行う浴室空調装置と、キッチンに設けられキッチンの空気を外へ排気するレンジフードファンと、を備えた換気システムが開示されている。また、浴室空調装置は、浴室の換気を行う他に、洗面所およびトイレ等の他の部屋の換気を並行して行う。キッチンにレンジフードファンが設けられている換気システムの場合は、該レンジフードファンの排気量は、浴室空調装置または全熱交換換気装置などの他の装置の排気量よりも多いのが一般的である。
【０００５】
したがって、レンジフードファンを有する換気システムでは、レンジフードファンが運転されると、該レンジフードファンによる排気量と他の装置による排気量との総排気量が、換気システムにおける給気手段により給気される給気量より上回り、住宅内が負圧となる。すなわち、建物内における給気量と排気量とのバランスが崩れてしまう。そして、ドアまたは窓の開閉動作が重くなる問題、または窓の隙間から流入する風によって風切り音が発生する問題が発生する。当該問題は、特に高気密住宅において顕著なものとなる。
【０００６】
上記問題を解決するために、特許文献２に開示された換気システムでは、給気手段及び浴室空調装置が作動している状態でレンジフードファンが動作を開始したとき、浴室空調装置が、レンジフードファンからの動作開始信号を取り込んで、浴室空調装置による排気量を減少させることにより、レンジフードファンによる排気量及び浴室空調装置による排気量の総排気量が等しくなるよう制御を行っている。
【先行技術文献】
【特許文献】
【０００７】
【特許文献１】特開２０１３−１９５０１０号公報
【特許文献２】特許第４４２４１１３号公報
【発明の概要】
【発明が解決しようとする課題】
【０００８】
しかしながら、特許文献２に開示された換気システムでは、浴室空調装置は浴室の換気を行う他に、洗面所またはトイレ等の他の部屋の換気も行っている。したがって、浴室空調装置の排気量を減少させてレンジフードファンを動作させると、トイレまたは浴室の排気不足が起こり、トイレの臭気および湿度の高い浴室の空気が、レンジフードファンの排気によって引っ張られて他の室内へ流れ込むという問題が生じる。
【０００９】
本発明は、上記に鑑みてなされたものであって、建物内が過度の負圧になることを抑制しつつ、トイレの臭気または湿度の高い浴室の空気の少なくとも一方が他の室内へ逆流することを抑制することが可能な換気システムを得ることを目的とする。
【課題を解決するための手段】
【００１０】
上述した課題を解決し、目的を達成するために、本発明にかかる換気システムは、建物におけるトイレまたは浴室の少なくとも一方を含む複数のサニタリーゾーンに設置され、前記複数のサニタリーゾーンのうち、前記トイレまたは前記浴室の少なくとも一方と、他の室内との空気を、前記トイレまたは前記浴室の少なくとも一方と前記他の室内とからの総排気風量を一定の風量として同時に一括して排気して、前記サニタリーゾーンの空気を排気する排気装置と、前記建物の外から吸い込んだ外気と前記建物の内部の室内から吸い込んだ室内空気との間で熱交換を行うとともに該熱交換後の前記外気を前記室内へ送り出す熱交換給気と前記熱交換後の前記室内空気を前記建物の外へ送り出す熱交換排気とを同時に実行する常時換気を継続的に実行可能であり、または前記建物の外から吸い込んだ外気を前記室内へ前記熱交換を行わずに送り出す通常給気を実行可能な熱交換換気装置と、前記建物のキッチンに設けられて前記キッチンの空気を前記建物の外へ排気するレンジフードファンと、前記排気装置と前記他の室内との間の排気風路に設けられて、該排気風路を閉鎖して前記排気装置の運転による前記他の室内からの排気を停止させることが可能な風路切り替え装置とを備え、前記熱交換換気装置が前記常時換気を行っている状態で前記レンジフードファンが運転を開始した場合に、前記風路切り替え装置は、前記排気風路を閉鎖し、前記排気装置は、運転を停止している場合は前記トイレまたは浴室の少なくとも一方からの排気を開始し、運転している場合は前記トイレまたは浴室の少なくとも一方からの排気風量を前記レンジフードファンが運転を開始した時点よりも増加して排気を行い、前記熱交換換気装置は、前記常時換気を停止して前記通常給気を実行し、または前記常時換気における前記熱交換排気の風量を前記レンジフードファンが運転を開始した時点よりも低減すること、を特徴とする。
【発明の効果】
【００１１】
本発明によれば、建物内が過度の負圧になることを抑制しつつ、トイレの臭気または浴室の湿度の少なくとも一方が居室へ戻ることを抑制することが可能な換気システムが得られる、という効果を奏する。
【図面の簡単な説明】
【００１２】
【図１】図１は、本発明の実施の形態にかかる換気システムの構成を示すブロック図である。
【図２】図２は、本発明の実施の形態にかかる換気システムの一般家庭住宅における構成例を示す図である。
【図３】図３は、図２に示す換気システムの動作の手順を示すフローチャートである。
【図４】図４は、本発明の実施の形態にかかる換気システムの一般家庭住宅における他の構成例を示す図である。
【図５】図５は、図４に示す換気システムの動作の手順を示すフローチャートである。
【発明を実施するための形態】
【００１３】
以下に、本発明にかかる換気システムの実施の形態を図面に基づいて詳細に説明する。なお、本発明は以下の記述に限定されるものではなく、本発明の要旨を逸脱しない範囲において適宜変更可能である。また、以下に示す図面においては、理解の容易のため、各部材の縮尺が実際とは異なる場合がある。各図面間においても同様である。
【００１４】
実施の形態
図１は、本発明の実施の形態にかかる換気システムの構成を示すブロック図である。実施の形態にかかる換気システムは、サニタリー排気装置１０と、熱交換換気装置２０と、レンジフードファン３０と、建物内通信ライン４０とを有している。
【００１５】
サニタリー排気装置１０は、建物内における複数のサニタリーゾーンの空気の排気を行う排気装置である。ここで、サニタリーゾーンとは、キッチンを除いた、トイレ、浴室または洗面所などの、衛生のための設備を持つスペースを意味する。サニタリー排気装置１０は、建物の外部まで配設されて建物外に連通したダクトからなる第１排気風路部に接続される。また、サニタリー排気装置１０は、壁または天井を介して建物外に連通されてもよい。また、サニタリー排気装置１０は、各サニタリーゾーンまで配設されて該サニタリーゾーンに連通したダクトからなる第２排気風路部に接続されている。また、サニタリー排気装置１０は、天井を介して各サニタリーゾーンに連通されてもよい。
【００１６】
サニタリー排気装置１０は、排気部１１と、サニタリー排気装置操作スイッチ１２と制御部１３とを有する。排気部１１は、ファンを備えて排気を実行する。サニタリー排気装置操作スイッチ１２は、居住者がサニタリー排気装置１０の運転、停止または風量の調整などの操作を行うための指示情報を入力するスイッチであり、サニタリーゾーンの任意の部屋に配置される。
【００１７】
制御部１３は、サニタリー排気装置操作スイッチ１２から入力される指示情報に基づいて、排気部１１を含むサニタリー排気装置１０全体の動作を制御する。また、制御部１３は、レンジフードファン３０からレンジフードファン運転開始信号またはレンジフードファン運転停止信号が入力されると、該レンジフードファン運転開始信号またはレンジフードファン運転停止信号の信号に基づいて排気部１１の運転状態を変更させる制御を行うことができる。すなわち、制御部１３は、レンジフードファン３０の運転状態に連動してサニタリー排気装置１０の運転状態を制御するレンジフードファン連動機能を有する。制御部１３は、レンジフードファン３０からレンジフードファン運転開始信号を受信すると、サニタリー排気装置１０が運転を停止している場合はサニタリー排気装置１０の排気を開始し、サニタリー排気装置１０が運転している場合は排気風量を増加させる制御を行う。
【００１８】
ここで、サニタリー排気装置１０の第１の構成例について説明する。サニタリー排気装置１０は、１台のサニタリー排気装置１０が第２排気風路部を介して、または天井を介して、トイレと浴室とサニタリーゾーンにおける他の室内とに連通するように構成することができる。そして、サニタリー排気装置１０は、トイレと浴室とサニタリーゾーンにおける他の室内とからの総排気風量を一定の風量として、同時に一括してトイレと浴室と他の室内とから排気する。サニタリーゾーンにおける他の室内は、たとえば洗面所である。
【００１９】
第１の構成例のサニタリー排気装置１０の制御部１３は、該制御部１３がレンジフードファン３０からレンジフードファン運転開始信号を受信した際にサニタリー排気装置１０が運転を停止している場合は、サニタリー排気装置１０に接続された全ての室内の排気を開始するように排気部１１を制御する。
【００２０】
第１の構成例の場合は、サニタリーゾーンのうちトイレと浴室とを除いた他の室内に接続する第２排気風路部の途中に、該第２排気風路部の風路を個別に閉鎖して、サニタリー排気装置１０によって排気が行われる風路を切り換えることが可能な風路切り替え装置５０が配置される。風路切り替え装置５０は、第２排気風路部の風路を閉鎖する閉鎖処理部５１と、閉鎖処理部５１における第２排気風路部の風路の閉鎖を制御する制御部５２とを有する。風路切り替え装置５０には、たとえば風路切替えダンパーを用いることができる。
【００２１】
風路切り替え装置５０の制御部５２は、レンジフードファン３０からレンジフードファン運転開始信号が入力されると、該風路切り替え装置５０が配置されている第２排気風路部の風路を閉鎖する。これにより、サニタリー排気装置１０が運転していても、風路切り替え装置５０が配置された第２排気風路部が連通する他の室内の排気は停止する。ここで、サニタリー排気装置１０は、上記のようにトイレと浴室と他の室内とからの総排気風量を一定の風量として、同時に一括してトイレと浴室と他の室内とから排気するように構成されている。したがって、他の室内からの排気が停止されることによって、トイレおよび浴室からの排気風量が通常運転状態、すなわちトイレと浴室と他の室内とから排気が行われている場合よりも増加し、トイレの臭気および湿度の高い浴室の空気をサニタリー排気装置１０によって排気するために必要な排気風量を確保することができる。ここで、トイレおよび浴室からの排気風量は、レンジフードファン運転開始信号が入力された時点、すなわちレンジフードファン３０が運転を開始した時点よりも増加する。
【００２２】
すなわち、サニタリー排気装置１０が、レンジフードファン運転開始信号に基づいて、該サニタリー排気装置１０に接続された全ての室内の排気を開始する。そして、風路切り替え装置５０が、レンジフードファン運転開始信号に基づいて、サニタリーゾーンのうちトイレと浴室とを除いた他の室内に接続する第２排気風路部の風路を閉鎖する。これにより、サニタリー排気装置１０におけるトイレおよび浴室からの排気風量をレンジフードファン運転開始信号が入力された時点、すなわちレンジフードファン３０が運転を開始した時点よりも増加させて、トイレの臭気および湿度の高い浴室の空気が他の室内へ逆流することを抑制することができる。
【００２３】
サニタリー排気装置１０における排気は、第２排気風路部の風路を閉鎖した後にトイレの臭気および湿度の高い浴室の空気をサニタリー排気装置１０によって排気するために必要な排気風量が確保できる既定の総排気風量で行われる。ここでの既定の総排気風量は、レンジフードファン３０による排気とサニタリー排気装置１０による排気とによって建物内が過度の負圧状態にならない程度とされる。既定の総排気風量は、たとえばトイレおよび浴室の気圧がキッチンの気圧を大きく上回らないようにあらかじめ設定される。
【００２４】
なお、サニタリー排気装置１０の総排気風量は、レンジフードファン３０が開始した運転の排気風量に対応させて異ならせてもよい。これにより、レンジフードファン３０の排気風量に対応させて、トイレの臭気および湿度の高い浴室の空気をサニタリー排気装置１０によって排気するために必要な排気風量を確保することができる。レンジフードファン３０の排気風量の情報は、たとえばレンジフードファン運転開始信号に組み込まれてもよく、またレンジフードファン３０の排気風量ごとにレンジフードファン運転開始信号自体を異ならせてもよい。
【００２５】
なお、第１の構成例の場合は、トイレおよび浴室からの排気風量をレンジフードファン運転開始信号が入力された時点、すなわちレンジフードファン３０が運転を開始した時点よりも増加させる機能を風路切り替え装置５０が担う。すなわち、サニタリー排気装置１０の制御部１３は、サニタリー排気装置１０が運転している状態でレンジフードファン３０からレンジフードファン運転開始信号を受信した際に排気風量を増加させる制御機能を持たなくてよい。
【００２６】
また、風路切り替え装置５０の制御部５２は、レンジフードファン３０からレンジフードファン運転停止信号が入力されると、第２排気風路部の風路の閉鎖を解除する。これにより、サニタリー排気装置１０が運転することによって、風路切り替え装置５０が配置された第２排気風路部が連通するサニタリーゾーンの排気が可能となる。
【００２７】
また、レンジフードファン３０からレンジフードファン運転開始信号を受信した際にサニタリー排気装置１０が運転している場合は、第１の構成例のサニタリー排気装置１０の制御部１３は、レンジフードファン運転開始信号に基づいて排気部１１の運転状態を変えることはない。また、レンジフードファン３０からレンジフードファン運転停止信号を受信した際にサニタリー排気装置１０が運転している場合は、第１の構成例のサニタリー排気装置１０の制御部１３は、レンジフードファン運転停止信号に基づいて制御部１１の運転状態を変えることはない。
【００２８】
一方、風路切り替え装置５０の制御部５２は、レンジフードファン３０からレンジフードファン運転開始信号が入力されると、該風路切り替え装置５０が配置されている第２排気風路部の風路を閉鎖する。これにより、サニタリー排気装置１０が運転していても風路切り替え装置５０が配置された第２排気風路部が連通するサニタリーゾーンの他の室内の排気は停止する。ここで、サニタリー排気装置１０は、上記のようにトイレと浴室と他の室内とからの総排気風量を一定の風量として同時に一括してトイレと浴室と他の室内とから排気するように構成されている。したがって、他の室内からの排気が停止されることによって、トイレおよび浴室からの排気風量がレンジフードファン運転開始信号が入力された時点における通常運転状態、すなわちトイレと浴室と他の室内とから排気が行われている場合よりも増加し、トイレの臭気および湿度の高い浴室の空気をサニタリー排気装置１０によって排気するために必要な排気風量を確保することができる。
【００２９】
すなわち、サニタリー排気装置１０は、レンジフードファン運転開始信号を受信した際にサニタリー排気装置１０が運転している場合には、運転状態を変えることなく運転を継続する。そして、風路切り替え装置５０が、レンジフードファン運転開始信号に基づいて、サニタリーゾーンのうちトイレと浴室とを除いた、サニタリーゾーンの他の室内に接続する第２排気風路部の風路を閉鎖する。これにより、サニタリー排気装置１０におけるトイレおよび浴室からの排気風量を、レンジフードファン運転開始信号が入力された時点、すなわちレンジフードファン３０が運転を開始した時点よりも増加させて、トイレの臭気および湿度の高い浴室の空気が他の室内へ逆流することを抑制することができる。
【００３０】
ここで、サニタリー排気装置１０における排気は、第２排気風路部の風路を閉鎖した後にトイレの臭気および湿度の高い浴室の空気をサニタリー排気装置１０によって排気するために必要な排気風量が確保できる既定の総排気風量で行われる。ここでの既定の総排気風量は、レンジフードファン３０による排気とサニタリー排気装置１０による排気とによって建物内が過度の負圧状態にならない程度とされる。なお、サニタリー排気装置１０は、レンジフードファン運転開始信号に基づいて、建物内が過度の負圧状態にならない程度にサニタリー排気装置１０の総排気風量を多少増加させてもよい。
【００３１】
つぎに、サニタリー排気装置１０の第２の構成例について説明する。サニタリー排気装置１０は、第２排気風路部を介して個別にトイレと連通して該トイレの空気を排気するトイレ排気装置と、第２排気風路部を介して個別に浴室に連通して該浴室の空気を排気する浴室排気装置とを備えるサニタリー排気装置１０を構成することができる。トイレ排気装置と浴室排気装置とは、互いに独立してトイレまたは浴室と連通される。なお、トイレ排気装置は、壁または天井を介してトイレと連通してもよい。浴室排気装置についても同様である。第２の構成例の場合は、トイレ排気装置と浴室排気装置とは、サニタリーゾーンのうちトイレと浴室とを除いた他の室内には接続しておらず、該他の室内の排気は行わない。
【００３２】
トイレ排気装置の制御部１３は、該制御部１３がレンジフードファン３０からレンジフードファン運転開始信号を受信した際にトイレ排気装置が運転を停止している場合は、トイレ排気装置の排気を開始する。同様に、浴室排気装置の制御部１３は、該制御部１３がレンジフードファン３０からレンジフードファン運転開始信号を受信した際に浴室排気装置が運転を停止している場合は、浴室排気装置の排気を開始する。
【００３３】
ここでのトイレ排気装置と浴室排気装置とにおける排気は、トイレの臭気および湿度の高い浴室の空気をサニタリー排気装置１０によって排気するために必要な排気風量が確保できる既定の排気風量で行われる。ここでの既定の排気風量は、レンジフードファン３０による排気とトイレ排気装置および浴室排気装置による排気とによって建物内が過度の負圧状態にならない程度とされる。
【００３４】
また、トイレ排気装置と浴室排気装置とのそれぞれの排気風量は、レンジフードファン３０が開始した運転の排気風量に対応させて異ならせてもよい。これにより、レンジフードファン３０の排気風量に対応させて、トイレの臭気および湿度の高い浴室の空気をサニタリー排気装置１０によって排気するために必要な排気風量を確保することができる。レンジフードファン３０の排気風量の情報は、たとえばレンジフードファン運転開始信号に組み込まれてもよく、またレンジフードファン３０の排気風量ごとにレンジフードファン運転開始信号自体を異ならせてもよい。
【００３５】
サニタリー排気装置１０であるトイレ排気装置と浴室排気装置との制御部１３は、該制御部１３がレンジフードファン３０からレンジフードファン運転開始信号を受信した際にサニタリー排気装置１０が運転している場合は、それぞれトイレ排気装置または浴室排気装置の排気風量を増加させる。ここで、トイレ排気装置または浴室排気装置の排気風量は、レンジフードファン運転開始信号が入力された時点、すなわちレンジフードファン３０が運転を開始した時点よりも増加させる。ここでのトイレ排気装置と浴室排気装置とにおける排気は、トイレの臭気および湿度の高い浴室の空気をサニタリー排気装置１０によって排気するために必要な排気風量が確保できる既定の排気風量で行われる。既定の排気風量は、レンジフードファン３０による排気とトイレ排気装置および浴室排気装置による排気とによって建物内が過度の負圧状態にならない程度とされる。
【００３６】
また、トイレ排気装置と浴室排気装置とのそれぞれの排気風量は、レンジフードファン３０が開始した運転の排気風量に対応させて異ならせてもよい。これにより、レンジフードファン３０の排気風量に対応させて、トイレの臭気および湿度の高い浴室の空気をサニタリー排気装置１０によって排気するために必要な排気風量を確保することができる。レンジフードファン３０の排気風量の情報は、たとえばレンジフードファン運転開始信号に組み込まれてもよく、またレンジフードファン３０の排気風量ごとにレンジフードファン運転開始信号自体を異ならせてもよい。
【００３７】
また、トイレ排気装置と浴室排気装置とは、レンジフードファン３０からレンジフードファン運転停止信号が入力されると、レンジフードファン運転開始信号に基づいた運転状態の変更が行われる前の運転状態に戻る。
【００３８】
熱交換換気装置２０は、熱交換器２１と、排気側送風機２２と、給気側送風機２３と、熱交換器操作スイッチ２４と、制御部２５とを有している。熱交換換気装置２０は、たとえば建物の屋根裏または各階の天井裏などの室内以外のスペースに配置される。
【００３９】
熱交換器２１は、建物外から熱交換換気装置２０を介して建物内に導入される外気と、建物内の室内から熱交換換気装置２０を介して建物外に排出される室内空気との間で熱交換を行う。すなわち、熱交換器２１は、建物外から吸い込んだ外気と建物内の室内から吸い込んだ室内空気との間で熱交換を行う。熱交換換気装置２０は、建物の外部まで配設されて建物外に連通したダクトからなる第１給気風路部に接続されている。また、熱交換換気装置２０は、１または複数の室内まで配設されて該室内に連通したダクトからなる第２給気風路部に接続されている。熱交換換気装置２０は、建物の外部まで配設されて建物外に連通したダクトからなる第３排気風路部に接続されている。また、熱交換換気装置２０は、１または複数の室内まで配設されて該室内に連通したダクトからなる第４排気風路部に接続されている。
【００４０】
排気側送風機２２は、建物内の室内から室内空気を吸い込むとともに熱交換後の室内空気を建物の外側へ送り出して排出する熱交換排気のための送風を行う送風機である。給気側送風機２３は、建物外から外気を吸い込むとともに熱交換後の外気を室内へ送り出す熱交換給気のための送風を行う送風機である。
【００４１】
熱交換器操作スイッチ２４は、居住者が熱交換換気装置２０の運転、停止または風量の調整などの操作を行うための指示情報を入力するスイッチであり、建物内の任意の部屋に配置される。
【００４２】
熱交換換気装置２０は、通常、在室者が居ない場合においても小風量で常時換気、すなわち２４時間換気が行われる２４時間換気システムに用いられる。ここで、２４時間換気システムとは、室内の空気をファンなどの機械を使って小風量で計画的に入れ替え、常に新鮮な空気を維持するシステムである。２４時間換気は、住宅内から発生するＶＯＣ（Volatile  Organic  Compounds）を排出することを目的としている。
【００４３】
常時換気運転を行っている熱交換換気装置２０は、レンジフードファン３０からレンジフードファン運転開始信号が入力されると、排気側送風機２２を停止させ、または風量を低減させる。これにより、熱交換換気装置２０による熱交換排気は、停止または風量が低減する。熱交換換気装置２０は、レンジフードファン運転開始信号に基づいて熱交換排気を停止した場合には、建物外から吸い込んだ外気を室内へ熱交換を行わずに送り出す通常給気を行う。これにより、建物全体の過度な負圧、すなわち給気不足を抑制することができる。
【００４４】
なお、建物全体の過度な負圧を抑制する観点から、熱交換換気装置２０は、レンジフードファン運転開始信号に基づいて熱交換排気を停止することが好ましい。レンジフードファン運転開始信号に基づいて熱交換排気の風量を低減する場合には、建物全体の過度な負圧を抑制することができるように、レンジフードファン３０が運転を開始した場合の建物内の排気風量によって、低減する風量があらかじめ決められる。
【００４５】
熱交換換気装置２０によって２４時間換気が行われている場合には、低減された熱交換排気の風量は、２４時間換気における熱交換排気の排気風量よりも少なくなる。一方、給気側送風機２３は、停止または熱交換給気の風量が低減されることはない。また、熱交換換気装置２０が２４時間換気以上の大排気風量で駆動していた場合には、低減された風量は、該大排気風量よりも少なくなる。一方、給気側送風機２３は、停止または熱交換給気の風量が低減されることはない。
【００４６】
また、熱交換換気装置２０は、レンジフードファン３０からレンジフードファン運転停止信号が入力されると、熱交換排気の停止状態または熱交換排気の排気風量の低減状態を解除し、レンジフードファン運転停止信号に基づいた運転状態の変更が行われる前の運転状態に戻る。
【００４７】
上記のような運転状態の変更の処理は、熱交換換気装置２０内に設けられた制御部２５が、レンジフードファン運転開始信号およびレンジフードファン運転停止信号に基づいて、排気側送風機２２を制御することによって行われる。
【００４８】
制御部２５は、レンジフードファン運転開始信号およびレンジフードファン運転停止信号に基づいた排気側送風機２２の運転の制御を含む、熱交換換気装置２０全体の処理を制御する。
【００４９】
レンジフードファン３０は、キッチンに設けられた排気用のファンである。レンジフードファン３０は、建物の外壁まで配設されて建物外に連通したダクトからなる第５排気風路部に接続されている。レンジフードファン３０の運転により、第５排気風路部を介してキッチンの空気が排気される。レンジフードファン３０は、排気部３１と、レンジフードファン操作スイッチ３２と制御部３３とを有する。
【００５０】
レンジフードファン操作スイッチ３２は、居住者がレンジフードファン３０の運転、停止または風量の調整などの操作を行うための指示情報を入力するスイッチであり、キッチンに配置される。レンジフードファン３０は、レンジフードファン操作スイッチ３２を操作することによって、排気風量を数段階に切り替えて運転可能である。
【００５１】
レンジフードファン３０の制御部３３は、レンジフードファン運転開始信号およびレンジフードファン運転停止信号の送信を含む、レンジフードファン３０全体の処理を制御する。レンジフードファン３０の制御部３３は、レンジフードファン３０の運転が開始されると、該レンジフードファン３０が運転を開始した旨を通知する信号であるレンジフードファン運転開始信号を、建物内通信ライン４０を介して送信する。
【００５２】
レンジフードファン３０の制御部３３は、レンジフードファン３０が運転をスタートさせると同時に、レンジフードファン運転開始信号を送信する。サニタリー排気装置１０が第１の構成例のように構成される場合には、レンジフードファン３０の制御部３３は、レンジフードファン運転開始信号をサニタリー排気装置１０、風路切り替え装置５０および熱交換換気装置２０に送信する。サニタリー排気装置１０が第２の構成例のように構成される場合には、レンジフードファン３０の制御部３３は、レンジフードファン運転開始信号をサニタリー排気装置１０および熱交換換気装置２０に送信する。
【００５３】
また、レンジフードファン３０の制御部３３は、レンジフードファン３０の運転が停止すると、レンジフードファン３０が運転を停止した旨を通知する信号であるレンジフードファン運転停止信号を、建物内通信ライン４０を介して送信する。サニタリー排気装置１０が第１の構成例のように構成される場合には、レンジフードファン３０の制御部３３は、レンジフードファン運転停止信号をサニタリー排気装置１０、風路切り替え装置５０および熱交換換気装置２０に送信する。サニタリー排気装置１０が第２の構成例のように構成される場合には、レンジフードファン３０の制御部３３は、レンジフードファン運転停止信号をサニタリー排気装置１０および熱交換換気装置２０に送信する。
【００５４】
建物内通信ライン４０は、サニタリー排気装置１０および熱交換換気装置２０と、レンジフードファン３０とを、情報を通信可能に接続する通信回線である。建物内通信ライン４０は、有線通信回線が用いられる。なお、建物内通信ライン４０に無線通信回線を用いることも可能である。
【００５５】
上述した実施の形態にかかる換気システムでは、熱交換換気装置２０が常時換気を行っている状態で運転を開始したレンジフードファン３０が、レンジフードファン運転開始信号を送信する。そして、運転を停止しているサニタリー排気装置１０は、レンジフードファン運転開始信号に基づいてトイレおよび浴室からの排気を開始する。また、運転しているサニタリー排気装置１０は、レンジフードファン運転開始信号に基づいて排気風量を増加してトイレおよび浴室の排気を行う。ここで、トイレおよび浴室からの排気風量は、レンジフードファン運転開始信号が入力された時点、すなわちレンジフードファン３０が運転を開始した時点よりも増加させる。これにより、トイレの臭気および湿度の高い浴室の空気をサニタリー排気装置１０によって排気するために必要な排気風量を確保することができ、トイレの臭気および湿度の高い浴室の空気が他の室内へ逆流することを抑制することができる。
【００５６】
また、熱交換換気装置２０は、レンジフードファン運転開始信号に基づいて常時換気を停止して通常給気を実行し、または常時換気における熱交換排気の風量を低減する。これにより、建物全体の過度な負圧、すなわち給気不足を抑制することができる。
【００５７】
したがって、上述した実施の形態にかかる換気システムでは、レンジフードファン３０を運転した場合においても、建物内が過度の負圧になることを抑制しつつ、トイレの臭気および湿度の高い浴室の空気が他の室内へ逆流することを抑制することが可能となる。
【００５８】
なお、上記においてはレンジフードファン運転開始信号を受信した場合にサニタリー排気装置１０がトイレと浴室との両方の排気を行う場合について説明したが、トイレまたは浴室のどちらか一方の排気を行うことも可能である。
【００５９】
次に、本実施の形態にかかる換気システムが一般家庭住宅に適用された場合の該換気システムの動作の例について説明する。図２は、本実施の形態にかかる換気システムの一般家庭住宅における構成例を示す図である。図２においては、熱交換換気装置によって常時換気が行われている状態でレンジフードファンが運転を開始した状態を示している。図２において、矢印は空気の流れを示しており、矢印の大きさは風量を表している。
【００６０】
図２において、住宅の１階の浴室１０２の天井裏２００には、サニタリーゾーンであるトイレ１０１、浴室１０２および洗面所１０３の空気の排気を行う排気装置であるサニタリー排気装置１０ａが配置されている。サニタリー排気装置１０ａは、浴室１０２の天井を介して浴室１０２に連通している。また、サニタリー排気装置１０ａは、建物の外部まで配設されて建物外に連通したダクトからなる第１排気風路部１１１に接続されている。また、サニタリー排気装置１０ａは、トイレ１０１および洗面所１０３まで配設されて該トイレ１０１および洗面所１０３に連通したダクトからなる第２排気風路部１１２に接続されている。
【００６１】
図２におけるサニタリー排気装置１０ａは、上述した第１の構成例のサニタリー排気装置１０である。サニタリー排気装置１０ａは、トイレ１０１と浴室１０２とサニタリーゾーンにおける他の室内である洗面所１０３とに連通しており、トイレ１０１と浴室１０２と洗面所１０３とからの総排気風量を一定の風量として、同時に一括してトイレ１０１と浴室１０２と洗面所１０３とから排気を行う。
【００６２】
サニタリー排気装置１０ａと洗面所１０３を接続する第２排気風路部１１２の途中には、風路切り替え装置５０である風路切替えダンパーが配置される。
【００６３】
住宅の１階の玄関廊下１０５の天井裏２００には、熱交換換気装置２０ａが配置されている。熱交換換気装置２０ａは、建物の外部まで配設されて建物外に連通したダクトからなる第１給気風路部１２１に接続されている。また、熱交換換気装置２０ａは、リビングダイニングキッチン１０４および図示しない１階の他の室内まで配設されて該リビングダイニングキッチン１０４および図示しない１階の他の室内に連通したダクトからなる第２給気風路部１２２に接続されている。以下では、リビングダイニングキッチン１０４をＬＤＫ１０４と記載する場合がある。熱交換換気装置２０ａは、建物の外部まで配設されて建物外に連通したダクトからなる第３排気風路部１２３に接続されている。また、熱交換換気装置２０ａは、ＬＤＫ１０４および図示しない１階の他の室内まで配設されて該ＬＤＫ１０４および図示しない１階の他の室内に連通したダクトからなる図示しない第４排気風路部に接続されている。
【００６４】
熱交換換気装置２０ａは、熱交換器２１と、排気側送風機２２と、給気側送風機２３と、玄関廊下１０５に配置された熱交換器操作スイッチ２４と、制御部２５とを有している。なお、熱交換器２１と制御部２５とについては、図示を省略している。
【００６５】
住宅の１階のＬＤＫ１０４には、レンジフードファン３０が配置されている。レンジフードファン３０は、建物の外壁まで配設されて建物外に連通したダクトからなる第５排気風路部１３１に接続されている。また、ＬＤＫ１０４には、レンジフードファン操作スイッチ３２が配置されている。
【００６６】
住宅の２階の廊下３０１の屋根裏４００には、熱交換換気装置２０ｂが配置されている。熱交換換気装置２０ｂは、建物の外部まで配設されて建物外に連通しダクトからなる第１給気風路部１２１に接続されている。また、熱交換換気装置２０ｂは、２階の居室３０２、居室３０３および居室３０４まで配設されて該居室３０２、居室３０３および居室３０４に連通しダクトからなる第２給気風路部１２２に接続されている。熱交換換気装置２０ｂは、建物の外部まで配設されて建物外に連通しダクトからなる第３排気風路部１２３に接続されている。また、熱交換換気装置２０ｂは、２階の居室３０２、居室３０３および居室３０４まで配設されて該居室３０２、居室３０３および居室３０４に連通しダクトからなる図示しない第４排気風路部に接続されている。
【００６７】
熱交換換気装置２０ｂは、図示しない熱交換器と、排気側送風機２２と、給気側送風機２３と、２階の廊下３０１に配置された熱交換器操作スイッチ２４と、図示しない制御部とを有している。
【００６８】
住宅の２階のトイレ３０５には、サニタリー排気装置であるトイレ排気装置１０ｂが配置されている。トイレ排気装置１０ｂは、トイレ３０５の壁を介して建物外に連通しており、トイレ３０５の排気を行う。トイレ排気装置１０ｂは、上述した第２の構成例のサニタリー排気装置１０である。ただし、ここではサニタリー排気装置１０ａの動作の説明を主とするため、トイレ排気装置１０ｂの動作の説明は省略する。
【００６９】
また、サニタリー排気装置１０ａ、熱交換換気装置２０ａおよび熱交換換気装置２０ｂと、レンジフードファン３０とは、建物内通信ライン４０を介して情報を通信可能に接続されている。図２においては、建物内通信ライン４０を点線矢印で示している。
【００７０】
つぎに、図２に示すように構成される換気システムの動作について説明する。図３は、図２に示す換気システムの動作の手順を示すフローチャートである。まず、ステップＳ１０では、熱交換換気装置２０ａおよび熱交換換気装置２０ｂが常時換気、すなわち２４時間換気を実施している状態で、居住者がレンジフードファン操作スイッチ３２を操作することによりレンジフードファン３０が運転をスタートさせる。
【００７１】
ステップＳ２０では、レンジフードファン３０が運転をスタートさせると同時に、該レンジフードファン３０の制御部３３が、レンジフードファン運転開始信号を送信する。レンジフードファン３０の制御部３３は、レンジフードファン運転開始信号をサニタリー排気装置１０ａと、トイレ排気装置１０ｂと、風路切り替え装置５０と、熱交換換気装置２０ａと、熱交換換気装置２０ｂとに送信する。
【００７２】
ステップＳ３０では、熱交換換気装置２０の制御部２５は、レンジフードファン運転開始信号を受信すると、該レンジフードファン運転開始信号に基づいて該熱交換換気装置２０の排気側送風機２２を停止、または排気風量を低減させる。すなわち、熱交換換気装置２０ａおよび熱交換換気装置２０ｂは、それぞれ排気側送風機２２を停止、または排気風量を低減させる。熱交換換気装置２０ａおよび熱交換換気装置２０ｂは、排気側送風機２２を停止した場合には、通常給気を行う。
【００７３】
ステップＳ４０では、レンジフードファン運転開始信号を受信すると、サニタリー排気装置１０ａが排気を開始または排気を継続する。すなわち、サニタリー排気装置１０ａの制御部１３は、レンジフードファン運転開始信号を受信した際にサニタリー排気装置１０ａが運転していない場合は、サニタリー排気装置１０ａの排気を開始する制御を行う。ここで、サニタリー排気装置１０ａは、トイレ１０１と浴室１０２と洗面所１０３とからの総排気風量を一定の風量として、同時に一括してトイレ１０１と浴室１０２と洗面所１０３とからの排気を開始する。また、サニタリー排気装置１０ａの制御部１３は、レンジフードファン運転開始信号を受信した際にサニタリー排気装置１０ａが運転している場合は、排気の運転状態を変えることなく、排気運転を行う制御を行う。
【００７４】
ステップＳ５０では、レンジフードファン運転開始信号を受信すると、風路切り替え装置５０の制御部５２は、該風路切り替え装置５０が配置されている第２排気風路部１１２の風路を閉鎖処理部５１によって封鎖する制御を行う。これにより、サニタリー排気装置１０ａが運転していても風路切り替え装置５０が配置された第２排気風路部１１２が連通する洗面所１０３の排気は停止する。ここで、サニタリー排気装置１０ａは、トイレ１０１と浴室１０２と洗面所１０３とからの総排気風量を一定の風量として、同時に一括してトイレ１０１と浴室１０２と洗面所１０３とからの排気を行う。したがって、洗面所１０３からの排気が停止されることによって、トイレ１０１および浴室１０２からの排気風量が通常運転状態、すなわちトイレ１０１と浴室１０２と洗面所１０３とから排気が行われている場合よりも増加し、トイレ１０１の臭気および湿度の高い浴室１０２の空気をサニタリー排気装置１０ａによって排気するために必要な排気風量を得ることができる。ここで、トイレ１０１および浴室１０２からの排気風量は、レンジフードファン運転開始信号が入力された時点、すなわちレンジフードファン３０が運転を開始した時点よりも増加する。
【００７５】
すなわち、サニタリー排気装置１０ａが、レンジフードファン運転開始信号に基づいて、該サニタリー排気装置１０ａに接続された全ての室内の排気を開始する。そして、風路切り替え装置５０が、レンジフードファン運転開始信号に基づいて、洗面所１０３に接続する第２排気風路部１１２の風路を閉鎖する。これにより、サニタリー排気装置１０ａにおけるトイレ１０１および浴室１０２からの排気風量を、レンジフードファン運転開始信号が入力された時点、すなわちレンジフードファン３０が運転を開始した時点よりも増加させることができる。
【００７６】
トイレ１０１および浴室１０２からの排気風量は、洗面所１０３の排気を停止した後にトイレ１０１の臭気および湿度の高い浴室１０２の空気を排気するために必要な排気風量が確保できる既定の排気風量で行われる。ここでの既定の排気風量は、レンジフードファン３０による排気とサニタリー排気装置１０による排気とによって建物内が過度の負圧状態にならない程度とされる。これにより、レンジフードファン３０を運転した場合においても、該熱交換換気装置２０の排気側送風機２２を停止、または排気風量を低減させることにより建物内が過度の負圧になることを抑制しつつ、トイレ１０１の臭気および湿度の高い浴室１０２の空気が他の室内へ逆流することを抑制することが可能となる。
【００７７】
図４は、本実施の形態にかかる換気システムの一般家庭住宅における他の構成例を示す図である。図４においては、熱交換換気装置によって常時換気が行われている状態でレンジフードファンが運転を開始した状態を示している。図４において、矢印は空気の流れを示しており、矢印の大きさは風量を表している。図４に示す換気システムが図２に示す換気システムと異なる点は、サニタリー排気装置１０ａの代わりに、トイレ排気装置１０ｃと浴室排気装置１０ｄとを備えることである。図４におけるトイレ排気装置１０ｃと浴室排気装置１０ｄとは、上述した第２の構成例のサニタリー排気装置である。
【００７８】
トイレ排気装置１０ｃは、住宅の１階のトイレ１０１に配置されている。トイレ排気装置１０ｃは、トイレ１０１の壁を介して建物外に連通しており、トイレ１０１の排気を行う。浴室排気装置１０ｄは、住宅の１階の浴室１０２の天井裏２００に配置されている。浴室排気装置１０ｄは、浴室１０２の天井を介して浴室１０２に連通しており、浴室１０２の排気を行う。また、浴室排気装置１０ｄは、建物の外部まで配設されて建物外に連通しダクトからなる第１排気風路部１１１に接続されている。また、トイレ排気装置１０ｃと浴室排気装置１０ｄとは、洗面所１０３には接続しておらず、洗面所１０３の排気は行わない。
【００７９】
つぎに、図４に示すように構成される換気システムの動作について説明する。図５は、図４に示す換気システムの動作の手順を示すフローチャートである。まず、ステップＳ１０では、熱交換換気装置２０ａおよび熱交換換気装置２０ｂが常時換気、すなわち２４時間換気を実施している状態で、居住者がレンジフードファン操作スイッチ３２を操作することによりレンジフードファン３０が運転をスタートさせる。
【００８０】
ステップＳ２２では、レンジフードファン３０が運転をスタートさせると同時に、レンジフードファン３０の制御部３３が、レンジフードファン運転開始信号を送信する。レンジフードファン３０の制御部３３は、レンジフードファン運転開始信号をトイレ排気装置１０ｂと、トイレ排気装置１０ｃと、浴室排気装置１０ｄと、熱交換換気装置２０ａと、熱交換換気装置２０ｂとに送信する。
【００８１】
ステップＳ３０では、熱交換換気装置２０の制御部２５は、レンジフードファン運転開始信号を受信すると、該レンジフードファン運転開始信号に基づいて該熱交換換気装置２０の排気側送風機２２を停止、または排気風量を低減させる。すなわち、熱交換換気装置２０ａおよび熱交換換気装置２０ｂは、それぞれ排気側送風機２２を停止、または排気風量を低減させる。熱交換換気装置２０ａおよび熱交換換気装置２０ｂは、排気側送風機２２を停止した場合には、通常給気を行う。
【００８２】
ステップＳ４２では、レンジフードファン運転開始信号を受信すると、トイレ排気装置１０ｂとトイレ排気装置１０ｃと浴室排気装置１０ｄとが排気を開始または排気を継続する。すなわち、サニタリー排気装置であるトイレ排気装置１０ｂとトイレ排気装置１０ｃと浴室排気装置１０ｄとのそれぞれの制御部１３は、レンジフードファン運転開始信号を受信した際に該トイレ排気装置１０ｂとトイレ排気装置１０ｃと浴室排気装置１０ｄとが運転していない場合は、それぞれトイレ排気装置１０ｂ、トイレ排気装置１０ｃまたは浴室排気装置１０ｄの排気を開始する制御を行う。ここで、トイレ排気装置１０ｂとトイレ排気装置１０ｃと浴室排気装置１０ｄとは、それぞれ独立して排気を行う。
【００８３】
また、トイレ排気装置１０ｂとトイレ排気装置１０ｃと浴室排気装置１０ｄとの制御部１３は、レンジフードファン運転開始信号を受信した際に運転している場合は、それぞれトイレ排気装置１０ｂとトイレ排気装置１０ｃと浴室排気装置１０ｄとの排気風量を増加させる制御を行う。ここで、トイレ排気装置１０ｂとトイレ排気装置１０ｃと浴室排気装置１０ｄとの排気風量は、レンジフードファン運転開始信号が入力された時点、すなわちレンジフードファン３０が運転を開始した時点よりも増加させる。
【００８４】
ステップＳ４２におけるトイレ排気装置１０ｂとトイレ排気装置１０ｃと浴室排気装置１０ｄとにおける排気は、トイレ１０１，３０５の臭気および湿度の高い浴室１０２の空気を排気するために必要な排気風量が確保できる既定の排気風量で行われる。ここでの既定の排気風量は、レンジフードファン３０による排気とトイレ排気装置１０ｂおよびトイレ排気装置１０ｃによる排気とによって建物内が過度の負圧状態にならない程度とされる。これにより、レンジフードファン３０を運転した場合においても、該熱交換換気装置２０の排気側送風機２２を停止、または排気風量を低減させることにより建物内が過度の負圧になることを抑制しつつ、トイレ１０１の臭気および湿度の高い浴室１０２の空気が他の室内へ逆流することを抑制することが可能となる。
【００８５】
上述したように、本実施の形態にかかる換気システムでは、熱交換換気装置２０が常時換気を行っている状態で運転を開始したレンジフードファン３０が、レンジフードファン運転開始信号を送信する。運転を停止しているサニタリー排気装置１０は、レンジフードファン運転開始信号を受信すると、該レンジフードファン運転開始信号に基づいてトイレおよび浴室からの排気を開始する。また、運転しているサニタリー排気装置１０は、レンジフードファン運転開始信号を受信すると、該レンジフードファン運転開始信号に基づいて排気風量を増加してトイレおよび浴室の排気を行う。サニタリー排気装置１０は、レンジフードファン運転開始信号が入力された時点、すなわちレンジフードファン３０が運転を開始した時点よりも排気風量を増加させる。これにより、トイレの臭気および湿度の高い浴室の空気をサニタリー排気装置１０によって排気するために必要な排気風量を確保することができ、トイレの臭気および湿度の高い浴室の空気が他の室内へ逆流することを抑制することができる。
【００８６】
また、熱交換換気装置２０は、レンジフードファン運転開始信号に基づいて常時換気を停止して通常給気を実行し、または常時換気における熱交換排気の風量を低減する。これにより、建物全体の過度な負圧、すなわち給気不足を抑制することができる。
【００８７】
したがって、上述した実施の形態にかかる換気システムによれば、レンジフードファン３０を運転した場合においても、建物内が過度の負圧になることを抑制しつつ、トイレの臭気および湿度の高い浴室の空気が他の室内へ逆流することを抑制することが可能となる。
【産業上の利用可能性】
【００８８】
以上のように、本発明にかかる換気システムは、レンジフードファンを備える換気システムにおいて、建物内が過度の負圧になることを抑制しつつ、トイレの臭気または湿度の高い浴室の空気の他の室内への逆流の抑制に有用である。
【符号の説明】
【００８９】
１０，１０ａ  サニタリー排気装置、１０ｂ，１０ｃ  トイレ排気装置、１０ｄ  浴室排気装置、１１  排気部、１２  サニタリー排気装置操作スイッチ、１３  制御部、２０，２０ａ，２０ｂ  熱交換換気装置、２１  熱交換器、２２  排気側送風機、２３  給気側送風機、２４  熱交換器操作スイッチ、２５  制御部、３０  レンジフードファン、３１  排気部、３２  レンジフードファン操作スイッチ、３３  制御部、４０  建物内通信ライン、５０  風路切り替え装置、５１  閉鎖処理部、５２  制御部、１０１  トイレ、１０２  浴室、１０３  洗面所、１０４  リビングダイニングキッチン、１０５  玄関廊下、１１１  第１排気風路部、１１２  第２排気風路部、１２１  第１給気風路部、１２２  第２給気風路部、１２３  第３排気風路部、１３１  第５排気風路部、２００  天井裏、３００  屋根裏、３０１  廊下、３０２，３０３，３０４  居室、３０５  トイレ、４００  屋根裏。
【図１】
0006289289.tif 000002
【図２】
0006289289.tif 000003
【図３】
0006289289.tif 000004
【図４】
0006289289.tif 000005
【図５】
0006289289.tif 000006